(57)【要約】【課題】  装置に触れることなく、指の生体情報により生体認証を行うことができる生体認証装置を得る。【解決手段】  筒状の指挿入部８に挿入された指を光源６により照射し、生体情報を生体センサー１により読取り、この読取られた生体情報を用いて処理部７が生体認証を行うとき、指挿入部８には、挿入された指を取り囲むように複数の送風装置３及びこれに対応して指までの距離を測距する複数の測距センサー４が配置され、処理部７は、指との距離に応じて、対応する送風装置３からの送風の強弱を調整し、この送風の強弱により指を誘導して位置決めし、その位置で生体センサー１により指の生体情報が読取られるようにした。【選択図】図１
2006280528.tif 000002
【特許請求の範囲】
【請求項１】
指への光照射により読取られる指の生体情報を照合して生体認証を行う生体認証装置において、上記光の照射位置に配置され、指が挿入される筒状の指挿入部、この指挿入部に挿入された指を取り囲むように配置され、挿入された指に空気を噴出させる複数の送風装置、この送風装置と対をなすと共に上記指挿入部に挿入された指を取り囲むように配置され、それぞれ上記挿入された指との間の距離を測る複数の測距センサー、この測距センサーの測定した指との間の距離に応じて、対応する上記送風装置からの送風の強弱を調整し、この送風の強弱により指を誘導する処理部、及びこの処理部により誘導された位置で指の生体情報を読取る生体センサーを備え、上記処理部は、各測距センサーから指までの距離が同じになる位置に上記指を誘導し、この位置で上記生体センサーによって読取られた生体情報により生体認証を行うことを特徴とする生体認証装置。
【請求項２】
上記処理部は、予め上記生体センサーによって読取られた生体情報を登録しておき、この登録された生体情報と照合時に上記生体センサーによって読取られる生体情報との比較によって生体認証を行い、上記登録時には、上記生体情報が読取られたときの各測距センサーから指までの距離を合わせて登録し、上記照合時には、上記登録された各測距センサーから指までの距離と一致する位置に指の誘導を行うことを特徴とする請求項１記載の生体認証装置。
【発明の詳細な説明】
【技術分野】
【０００１】
この発明は、指の生体情報を用いて生体認証を行う生体認証装置に関するものである。
【背景技術】
【０００２】
従来の指を使った生体認証装置（例えば、特許文献１）では、指の上部（爪側）の光源から光を当てて、指紋や静脈などの生体情報を非接触（センサーに触れることなく）で、読取るようにしたものがある。
特許文献１には、指紋を非接触で読取るのに加えて、指紋の表面部分が非接触で保持されるようにしたものが、記載されている。
【０００３】
【特許文献１】特開２００３−０８５５３８号公報（第３〜４頁、図１）
【発明の開示】
【発明が解決しようとする課題】
【０００４】
しかしながら、非接触という特徴から指の位置の固定が困難であるため、ガイドなどに指を当てることで、指の位置を固定している。このため、潔癖症の人などが嫌悪感を感じることがあるという問題があった。
特許文献１では、指紋の表面部分のみ非接触で保持されるものの、指紋の表面部分以外は、被検体保持部に接触して保持されるので、上記と同じ問題がある。
【０００５】
この発明は、上述のような課題を解決するためになされたものであり、装置に触れることなく、指の生体情報により生体認証を行うことができる生体認証装置を得ることを目的にしている。
【課題を解決するための手段】
【０００６】
この発明に係わる生体認証装置においては、指への光照射により読取られる指の生体情報を照合して生体認証を行う生体認証装置において、光の照射位置に配置され、指が挿入される筒状の指挿入部、この指挿入部に挿入された指を取り囲むように配置され、挿入された指に空気を噴出させる複数の送風装置、この送風装置と対をなすと共に指挿入部に挿入された指を取り囲むように配置され、それぞれ挿入された指との間の距離を測る複数の測距センサー、この測距センサーの測定した指との間の距離に応じて、対応する送風装置からの送風の強弱を調整し、この送風の強弱により指を誘導する処理部、及びこの処理部により誘導された位置で指の生体情報を読取る生体センサーを備え、処理部は、各測距センサーから指までの距離が同じになる位置に指を誘導し、この位置で生体センサーによって読取られた生体情報により生体認証を行うものである。
【発明の効果】
【０００７】
この発明は、以上説明したように、指への光照射により読取られる指の生体情報を照合して生体認証を行う生体認証装置において、光の照射位置に配置され、指が挿入される筒状の指挿入部、この指挿入部に挿入された指を取り囲むように配置され、挿入された指に空気を噴出させる複数の送風装置、この送風装置と対をなすと共に指挿入部に挿入された指を取り囲むように配置され、それぞれ挿入された指との間の距離を測る複数の測距センサー、この測距センサーの測定した指との間の距離に応じて、対応する送風装置からの送風の強弱を調整し、この送風の強弱により指を誘導する処理部、及びこの処理部により誘導された位置で指の生体情報を読取る生体センサーを備え、処理部は、各測距センサーから指までの距離が同じになる位置に指を誘導し、この位置で生体センサーによって読取られた生体情報により生体認証を行うので、指を置くガイドなどに指を触れることがなくなり、清潔さを保ちながら、指の生体情報を用いた生体認証を行うことができる。
【発明を実施するための最良の形態】
【０００８】
実施の形態１．
本発明について、図に基づき説明する。
図１は、この発明の実施の形態１による生体認証装置を示す構成図である。
図１において、生体センサー１は、光が照射された指の指紋、静脈などの生体情報を読み取る。指検知センサー２は、生体認証装置の指挿入部８に指が挿入されたことを検知する。複数の送風装置３が指が挿入される指挿入部８に配置され、それぞれの送風装置３は、生体認証装置内部に空気を送る送風孔を有している。測距センサー４は、送風装置３に対応するように複数設けられ、それぞれ配置された位置で、指との間の距離を測定する。ＩＤ入力装置５は、生体認証（登録及び照合）の際に操作者が自身の個人ＩＤを入力する。光源６は、指の爪側から指に光を照射するように配置されている。処理部７は、１〜６を制御し、生体認証を行う。指挿入部８は、筒状で、この筒の円周上に複数の送風装置３と測距センサー４の対が配置されている。
【０００９】
図２は、この発明の実施の形態１による生体認証装置の測距センサーと送風装置の配置を説明する説明図である。
図２において、指が挿入される指挿入部８を形成する筒の開口部近くに指検知センサーが設けられ、筒の奥とその手前に、送風装置３と測距センサー４が、筒の円周に沿って８対ずつと、筒の一番奥に１対の合計１７対が設置されている。
【００１０】
図３は、この発明の実施の形態１による生体認証装置の生体情報登録時の動作を示すフローチャートである。
図４は、この発明の実施の形態１による生体認証装置の生体情報照合時の動作を示すフローチャートである。
【００１１】
次に、動作について説明する。
図２で、筒の開口部から指挿入部８に指が挿入されると、指検知センサー２が挿入された指を検知して、送風装置３が動き始め、送風孔から空気が指に向かって送られる。
この時、送風装置３と対になるように設置された測距センサー４が、指との距離を検知し、距離が近ければ対応する送風装置３の送風を強め、距離が遠ければ送風を弱める。操作者が指への送風の強度を感じ取り、指全体にあたる送風の強度が均一になるように、指を位置させることで、装置に触れることなく、指の位置を固定することが可能となる。
【００１２】
次に、生体情報の登録時の処理部７の動作について、図３のフローチャートにより、詳細に説明する。
操作者は、個人ＩＤを入力して（Ｓ１）、生体認証装置の指挿入部８に指を挿入する（Ｓ２）と、指検知センサー２が、挿入された指を検知して（Ｓ３）、送風装置３の送風を開始し、それぞれの位置で指との距離を測定する側距センサー４が動作すると共に、光源６が作動する（Ｓ４）。装置内の、全ての測距センサー４の測定値が同じでなければ（Ｓ５）、指が生体認証装置の指挿入部８の中心に位置していないので、１７対のセンサーの平均距離を算出し（Ｓ６）、指との間の距離が遠い送風装置３の送風強度を強くし（Ｓ７）、指との距離が近い送風装置３の送風強度を弱くする（Ｓ８）。
このように、測距と送風強度の調整を繰り返し、全ての測距センサー４の測定値が同じになれば（Ｓ５）、指の指紋、静脈などの生体情報を読み取って登録する（Ｓ９）と同時に、全測距センサー４から指までの距離を、指の長さ、太さとして登録し（Ｓ１０）、送風と測距と光源を停止して（Ｓ１１）、生体認証装置から指を抜き出して（Ｓ１２）、終了する。
【００１３】
次に、生体情報の照合時の処理部の動作について図４のフローチャートにより説明する。
操作者は、個人ＩＤを入力して（Ｓ２１）、生体認証装置の指挿入部８に指を挿入する（Ｓ２２）と、指検知センサー２が、挿入された指を検知して（Ｓ２３）、送風装置３が送風を開始し、指との距離を測定する測距センサー４が動作すると共に、光源６が作動する（Ｓ２４）。装置内の、全ての測距センサー４の測定値が登録時の測定値と同じでなければ（Ｓ２５）、指からの距離が遠い送風装置３の送風強度を強くし（Ｓ２６）、指からの距離が近い送風装置３の送風強度を弱くする（Ｓ２７）。
このように、測距と送風強度の調整を繰り返し、全ての測距センサー４の測定値が、登録時の測定値と同じになれば（Ｓ２５）、生体情報を読み取って認証し（Ｓ２８）、送風と測距と光源を停止して（Ｓ２９）、生体認証装置から指を抜き出して（Ｓ３０）、終了する。
これにより、操作者は、登録時も、照合時も、ガイド（指挿入部）や読取装置に触れることなく、生体認証装置を使用することが可能となる。
【００１４】
実施の形態１によれば、指を用いて生体認証を行う際に、指を装置に接触することなく、一定の位置に誘導することができる。
また、指が装置に触れないので、清潔さを保つことができる。
【図面の簡単な説明】
【００１５】
【図１】この発明の実施の形態１による生体認証装置を示す構成図である。
【図２】この発明の実施の形態１による生体認証装置の測距センサーと送風装置の配置を説明する説明図である。
【図３】この発明の実施の形態１による生体認証装置の生体情報登録時の動作を示すフローチャートである。
【図４】この発明の実施の形態１による生体認証装置の生体情報照合時の動作を示すフローチャートである。
【符号の説明】
【００１６】
１  生体センサー
２  指検知センサー
３  送風装置
４  測距センサー
５  個人ＩＤ入力部
６  光源
７  処理部
８  指挿入部
【図１】
2006280528.tif 000003
【図２】
2006280528.tif 000004
【図３】
2006280528.tif 000005
【図４】
2006280528.tif 000006